(57)【要約】【課題】停電が復旧すると自動的に電磁接触器が閉路して負荷への電力供給を再開できる電力制御装置を提供すること。【解決手段】  電磁接触器を介して電気機器に電力を供給する電力制御装置において、  前記電磁接触器が停電により開路した後、前記電磁接触器の制御系が動作中に復電したら自動的に閉路して負荷への電力供給を再開することを特徴とするもの。【選択図】                    図１
2009296744.tif 000002
【特許請求の範囲】
【請求項１】
電磁接触器を介して電気機器に電力を供給する電力制御装置において、
前記電磁接触器が停電により開路した後、前記電磁接触器の制御系が動作中に復電したら自動的に閉路して負荷への電力供給を再開することを特徴とする電力制御装置。
【請求項２】
前記電磁接触器の制御系は、無停電電源装置で駆動されることを特徴とする請求項１記載の電力制御装置。
【請求項３】
前記負荷は、ＩＣテスタであることを特徴とする請求項１または２に記載の電力制御装置。
【発明の詳細な説明】
【技術分野】
【０００１】
本発明は電力制御装置に関し、詳しくは、停電が復旧した時の負荷への電力供給再開制御に関するものである。
【０００２】
たとえば液晶ドライバＩＣテスタでは、ＩＣテスタに商用電源を供給する電力制御装置として、複数系統のアラーム検知信号により電磁接触器を制御するとともに、アラーム系統や内部のコンピュータなどの主要部分を無停電電源装置（以下ＵＰＳという）でバックアップするように構成されている。
【０００３】
図５は、従来の電力制御装置の一例を示すブロック図である。図５の電力制御装置１０において、商用電源に接続されているＭＢ（メインブレーカー）１１がオンになると、ＰＳ（電源装置）１２とＭＣ（電磁接触器）１３に交流電力が供給される。ＰＳ１２は安全のための各種監視センサや緊急停止スイッチなどの複数のアラーム検知器よりなるアラーム検知系１４に所定の直流電力を供給するが、ＭＣ１３は自動的にはオンにならない。
【０００４】
これは、ＭＢ１１をオフ／オンする行為をアラームに対するリセットとみなし、リセットをしても自動的には電力が供給されない安全設計となっているためである。すなわち、リセットの後、ＭＢ１１はオンで全てのアラーム検知系１４が正常監視状態であれば、自動復帰型の手動スイッチ１５を押下することでＭＣ１３がオンとなり、負荷である電気機器２０とＵＰＳ１６へ電力が供給される。
【０００５】
電気機器２０内のコンピュータ関連機器へはＵＰＳ１６から出力される交流電力が供給され、停電などに対するバックアップ電源となる。また、ＵＰＳ１６から出力される交流電力はＭＢ１１から直接接続されているＰＳ１２にも供給され、停電時でも必要な所定期間アラーム検知系１４が動作するように構成されている。
【０００６】
アラーム検知系１４は、前述の複数のアラーム検知器のいずれかが電気機器２０における監視対象部分のアラーム状態を検出することにより、保持型スイッチ１７を介してＭＣ１３をオフにする。
【０００７】
ところで、ＭＣ１３のオフは、ＭＣ１３を構成する図示しない駆動コイルへの商用電源供給をＭＢ１１でオフすることにより行えるが、ＭＣ１３はアラーム発生などでもオフになるのに対して、ＭＣ１３のオンは手動スイッチ１５の押下でのみ可能である。ＭＣ１３がオンの状態でアラームが発生すると、保持型スイッチ１７は自動的にＭＣ１３をオフにする。保持型スイッチ１７は位置保持型であるため、ＭＢ１１をオフ／オンするか停電によりＰＳ１２への電力供給が停止して停電が復旧するまでは手動スイッチ１５の押下は無効になってしまう。
【０００８】
また、ＭＣ１３がオンの状態で停電が発生すると、ＭＣ１３の駆動コイルに電流が流れなくなることでＭＣ１３はオフになってしまう。停電は電気機器２０に起因しない事故なので保持型スイッチ１７は作動しないが、停電が復旧した場合にＭＣ１３をオンにするためには改めて手動スイッチ１５を押下する必要がある。
【０００９】
特許文献１には、無停電電源装置を用いた電力制御装置の構成が記載されている。
【００１０】
【特許文献１】特開平５−２５２６６４号公報
【発明の開示】
【発明が解決しようとする課題】
【００１１】
すなわち、電気機器２０に起因するアラームとは関係のない停電によってＭＣ１３がオフになった後に停電が復旧してもＭＣ１３が自動的にオンしないために、停電によりＵＰＳ１６でコンピュータをバックアップしている最中に停電が復旧した場合やＭＣ１３がオフになる程度の瞬停であっても、手動スイッチ１５の押下という手動操作によって電気機器２０を立ち上げ直す必要がある。
【００１２】
本発明は、このような課題を解決するものであり、停電が復旧すると自動的に電磁接触器が閉路して負荷への電力供給を再開できる電力制御装置を提供することを目的とする。
【課題を解決するための手段】
【００１３】
このような課題を達成するために、本発明のうち請求項１記載の発明は、
電磁接触器を介して電気機器に電力を供給する電力制御装置において、
前記電磁接触器が停電により開路した後、前記電磁接触器の制御系が動作中に復電したら自動的に閉路して負荷への電力供給を再開することを特徴とする。
【００１４】
請求項２記載の発明は、請求項１記載の電力制御装置において、
前記電磁接触器の制御系は、無停電電源装置で駆動されることを特徴とする。
【００１５】
請求項３記載の発明は、請求項１または２に記載の電力制御装置において、
前記負荷は、ＩＣテスタであることを特徴とする。
【発明の効果】
【００１６】
本発明によれば、停電が復旧すると自動的に電磁接触器が閉路して負荷への電力供給を再開できる。
【発明を実施するための最良の形態】
【００１７】
以下、本発明について、図面を用いて詳細に説明する。図１は本発明の一実施例を示すブロック図であり、図５と共通する部分には同一符号を付けている。図１の電力制御装置１０において、ＵＰＳ１６には自動スイッチ１８の駆動部が接続されていて、その接点はＵＰＳ１６が出力中は自動的にオン状態に保持されるものであり、手動スイッチ１５の接点と並列に接続されている。
【００１８】
図１の構成において、ＭＣ１３がオンになっていて電気機器２０に電力が供給されている正常状態とし、ＵＰＳ１６も正常運転中とすると、自動スイッチ１８はオンになっている。このような正常状態で停電が発生すると、ＭＣ１３はオフになるが、ＵＰＳ１６は設定された所定のバックアップ期間中はバッテリ運転により所定の出力を保持することになり、自動スイッチ１８はオン状態を持続する。このＵＰＳ１６によるバックアップ期間中に停電が復旧すれば、自動スイッチ１８のオン接点は手動スイッチ１５の接点と並列に接続されていることから、ＭＣ１３は停電の復旧により自動的にオンになる。
【００１９】
図２は、図１のスイッチ系統の具体的な接続例図である。ＭＣ１３は、電路を開閉する図示しない主接点の他に、駆動用のＭＣコイル１３ａや制御用の補助接点１３ｂなどで構成されている。手動スイッチ１５は、押しボタン式スイッチ１５ａとリレーＲＬ１で構成されている。リレーＲＬ１のコイルＲＬ１ａはＰＳ１２に接続され、リレーＲＬ１の接点ＲＬ１ｂは補助接点１３ｂと並列に接続されている。
【００２０】
接点１７ａは保持型スイッチ１７の一部を構成するものであり、アラームが発生していない間はオン状態を保持し、いずれかのアラームが発生するとそれ以降はオフ状態を保持する。自動スイッチ１８はたとえばリレーＲＬ２で構成されている。リレーＲＬ２のコイルＲＬ２ａはＵＰＳ１６に接続され、リレーＲＬ２の接点ＲＬ２ｂは押しボタン式スイッチ１５ａと並列に接続されている。
【００２１】
ＭＣ１３の制御系は、保持型スイッチ１７の接点１７ａと制御用の補助接点１３ｂと駆動用のＭＣコイル１３ａが直列接続されていて、ＭＢ１１を介して出力される商用電源で駆動される。制御用の補助接点１３ｂと並列接続されたリレーＲＬ１の接点ＲＬ１ｂは、自動復帰型の押しボタン式スイッチ１５ａを押下したときのみオンになる。リレーＲＬ１の接点ＲＬ１ｂがオンになるとＭＣ１３がオンになり、ＭＣ１３の制御系は自己保持状態になる。そして、リレーＲＬ２のコイルＲＬ２ａはＵＰＳ１６に接続されているので、リレーＲＬ２の接点ＲＬ２ｂはＵＰＳ１６が出力している間はオンになる。
【００２２】
ＭＢ１１をオンにすると、アラームが発生していなければ保持型スイッチ１７の接点１７ａはオンになり、ＭＣ１３とリレーＲＬ１の接点ＲＬ１ｂおよびリレーＲＬ２の接点ＲＬ２ｂはオフになってＭＣコイル１３ａに電流は流れない。ボタン式スイッチ１５ａを押下すると、リレーＲＬ１の接点ＲＬ１ｂがオンとなり、ＭＣコイル１３ａに電流が流れてＭＣ１３がオンになってＭＣ１３の制御系は自己保持状態となる。
【００２３】
図５に示す従来例のスイッチ系統の具体的な接続は、図２から、ＵＰＳ１６に接続されているリレーＲＬ２のコイルＲＬ２ａと、押しボタン式スイッチ１５ａと並列に接続されているリレーＲＬ２の接点ＲＬ２ｂを取り除いた状態になる。このような状態において、押しボタン式スイッチ１５ａから手を離すとリレーＲＬ１がオフになり、停電によりＭＣ１３がオフになると停電が復旧しても再度押しボタン式スイッチ１５ａを押下しないかぎりＭＣコイル１３ａに電流は流れない。
【００２４】
これに対し、図１の構成では自動スイッチ１８として用いるリレーＲＬ２のコイルＲＬ２ａをＵＰＳ１６で駆動しているため、ＵＰＳ１６がバックアップ中であればボタン式スイッチ１５ａと並列に接続されているリレーＲＬ２の接点ＲＬ２ｂはオンであり、その結果補助接点１３ｂと並列に接続されているリレーＲＬ１の接点ＲＬ１ｂもオンになる。したがって、この間に停電が復旧すればＭＣコイル１３ａに電流が流れてＭＣ１３は自動的にオンになる。
【００２５】
なお、上記実施例では自動スイッチ１８としてＵＰＳ１６で直接駆動する交流リレーの例を示したが、ＵＰＳ１６の出力に接続されＵＰＳ１６からの電力供給後に動作する既存のＡＣ／ＤＣコンバータの出力で駆動すれば、自動スイッチ１８として直流リレーを用いることもできる。
【００２６】
図３は図２に示したリレーＲＬ２の接続の変形例であって、図２にリレーＲＬ３を追加したものであり、図３の接続でも図２と同様の効果が期待できる。図３において、リレーＲＬ２のコイルＲＬ２ａの一端とリレーＲＬ３のコイルＲＬ３ａの一端はＰＳ１２の一端に並列接続され、リレーＲＬ２のコイルＲＬ２ａの他端はリレーＲＬ３の第１の接点ＲＬ３ｂを介してＰＳ１２の他端に接続され、リレーＲＬ３のコイルＲＬ３ａの他端はＭＣ１３の第２の補助接点１３ｃとリレーＲＬ３の第２の接点ＲＬ３ｃとの並列回路を介してＰＳ１２の他端に接続されている。
【００２７】
このような構成において、ＭＣ１３の第２の補助接点１３ｃがオンになるまではリレーＲＬ３の第１の接点ＲＬ３ｂおよび第２の接点ＲＬ３ｃもオンにならないが、一旦ＭＣ１３の第２の補助接点１３ｃがオンになればＰＳ１２への電力供給が停止するまでリレーＲＬ３の第１の接点ＲＬ３ｂおよび第２の接点ＲＬ３ｃはオンのままになり、図２のリレーＲＬ２の接点ＲＬ２ｂもオン状態を続ける。このように図２の回路にリレーＲＬ３を追加するだけで安価に実現できる。
【００２８】
なお、図３の接続は、ＵＰＳ１６が無い構成の場合にも適用できる。すなわち、ＰＳ１２の負荷率を低くして出力保持時間を長く設定することにより、ＭＣ１３の接点保持時間以上の瞬停耐性が実現できる。
【００２９】
図４は本発明の他の実施例の説明図であり、図２と共通する部分には同一の符号を付けている。図４では、アラームを検出していない正常動作時に、ＭＣ１３をオフにする手動スイッチ（ＡＣオフスイッチ）１９を追加したものである。
【００３０】
具体的には、手動スイッチ１９は、押しボタン式スイッチ１９ａとリレーＲＬ４で構成されている。すなわち、図２のＰＳ１２に接続されているリレーＲＬ２の接点ＲＬ２ｂと押しボタン式スイッチ１５ａの並列回路とリレーＲＬ１のコイルＲＬ１ａとの直列回路と並列に、リレーＲＬ４のコイルＲＬ４ａと押しボタン式の常閉スイッチ１５ｂの直列回路およびリレーＲＬ４の接点ＲＬ４ｂと押しボタン式スイッチ１９ａの並列回路が直列接続されている。一方、ＭＣ１３の制御系の補助接点１３ｂとリレーＲＬ１の接点ＲＬ１ｂの並列回路とＭＣコイル１３ａの間には、リレーＲＬ４の常閉接点ＲＬ４ｃが接続されている。
【００３１】
ここで、押しボタン式スイッチ１９ａを押下する場合は停電と異なり故意にＭＣ１３をオフにするので、アラーム発生時に準じて自動的にＭＣ１３がオンとならないことが条件となる。ただし、アラームでオフするのではないため、リセット無しでもＭＣ１３のオンが可能であり、手動スイッチ１５が有効である。これを実現するために図２の接続に加えて、自動復帰型の押しボタン式スイッチ１９ａとリレーＲＬ４を図４のように接続し、押しボタン式の常閉スイッチ１５ｂを追加している。押しボタン式スイッチ１９ａの押下でリレーＲＬ４の常閉接点ＲＬ４ｃが開となりＭＣ１３がオフになる。そして、リレーＲＬ４の接点ＲＬ４ｂとリレーＲＬ４のコイルＲＬ４ａが同時に自己保持状態になるので、押しボタン式スイッチ１５ａを押下した場合のみリレーＲＬ４の常閉接点ＲＬ４ｃが閉となり、再度ＭＣ１３をオンにできる。
【００３２】
このようにＭＣ１３をオフにする手動スイッチ（ＡＣオフスイッチ）が必要な場合は、自動復帰型手動スイッチ１５を２接点形とし、リレーＲＬ４を追加するだけで実現可能である。なお、図４の場合も、リレーＲＬ２のコイルＲＬ２ａの駆動系に図３を採用することにより安価に実現できる。
【００３３】
なお、上記実施例では、液晶ドライバＩＣテスタの例について説明したが、各種の電気機器の電力制御装置としても有効である。
【００３４】
以上説明したように、本発明によれば、停電が復旧すると自動的に電磁接触器が閉路して負荷への電力供給を再開できる電力制御装置を提供することができ、ＩＣテスタなどの電力制御装置として好適である。
【図面の簡単な説明】
【００３５】
【図１】本発明の一実施例を示すブロック図である。
【図２】図１のスイッチ系統の具体的な接続例図である。
【図３】図２に示したリレーＲＬ２の接続の変形例である。
【図４】本発明の他の実施例の説明図である。
【図５】従来の電力制御装置の一例を示すブロック図である。
【符号の説明】
【００３６】
１０  電力制御装置
１１  ＭＢ（メインブレーカー）
１２  ＰＳ（電源装置）
１３  ＭＣ（電磁接触器）
１４  アラーム検知系
１５  手動スイッチ
１６  ＵＰＳ（無停電電源装置）
１７  保持型スイッチ
１８  自動スイッチ
１９  手動スイッチ（ＡＣオフスイッチ）
２０  電気機器（負荷）
【図１】
2009296744.tif 000003
【図２】
2009296744.tif 000004
【図３】
2009296744.tif 000005
【図４】
2009296744.tif 000006
【図５】
2009296744.tif 000007